(57)【要約】【課題】  打撃レバーを操作する遊戯操作部を特に今までには無かった構成した、ゲーム面から空気圧で駒体を僅かに浮遊させた状態で遊戯する新規の家庭用ゲーム器を提供する。【解決手段】  空気圧で駒体を僅かに浮遊させて遊戯するゲーム面を台盤の上面に有する室内家庭用ゲーム器に関し、台盤の横面に張り出した状態にして設けられたグリップ部と、当該グリップ部に握り絞り操作しうる状態にして設けられた握り操作レバーと、当該握り操作レバーへの握り絞り操作により前記ゲーム面上で駒体の打つ動作をなしうるようにされた駒撃ちレバーとを備えたことを特徴とするものである。【選択図】        図１
2006158932.tif 000002
【特許請求の範囲】
【請求項１】
台盤の上面にゲーム面を有する家庭用ゲーム器に関し、台盤の横面に張り出した状態にして設けられたグリップ部と、当該グリップ部に握り絞り操作しうる状態にして設けられた握り操作レバーと、当該握り操作レバーへの握り絞り操作により前記ゲーム面上で駒体の打つ動作をなしうるようにされた駒撃ちレバーとを備えたことを特徴とする家庭用ゲーム器。
【請求項２】
前記グリップ部、握り操作レバー及び駒撃ちレバーが、左右対配置にして設けられたことを特徴とする請求項１記載の家庭用ゲーム器。
【請求項３】
前記左右対配置のグリップ部、握り操作レバー及び駒撃ちレバーが対面配置にして設けられたことを特徴とする請求項２記載の家庭用ゲーム器。
【請求項４】
前記駒撃ちレバーの後方に前記ゲーム面の縁に連続する状態でゴール部が設けられたことを特徴とする請求項４記載の家庭用ゲーム器。
【請求項５】
ゲーム面は、駒体を浮遊させる多数個の空気吹出孔が一面に設けられたことを特徴とする請求項１〜４のいずれか一つの請求項記載の家庭用ゲーム器。
【請求項６】
前記駒体がサッカーボール等球技用ボールを模した薄い扁平形状体であることを特徴とする請求項１〜５のいずれか一つの請求項記載の家庭用ゲーム器。
【請求項７】
前記台盤が、所定の個数だけ視認可能状態で収納しうる格納部を備えたことを特徴とする請求項１〜６のいずれか一つの請求項記載の家庭用ゲーム器。
【請求項８】
前記台盤が、前記ゴールに入れられた駒体の個数を表示する表示部を備えたことを特徴とする請求項１〜６のいずれか一つの請求項記載の家庭用ゲーム器。
【発明の詳細な説明】
【技術分野】
【０００１】  本発明は、ボールや、パック等を模した駒体を使用して遊戯する形式のサッカー家庭用ゲーム器、ホッケー家庭用ゲーム器、野球家庭用ゲーム器、スカッシュ家庭用ゲーム器、スマートボール家庭用ゲーム器等の室内で遊戯する家庭用ゲーム器に関する。詳しくは打撃レバーで打つことにより遊戯する形式の家庭用ゲーム器に関する。さらに詳しくは、前記打撃レバーを操作する遊戯操作部を特に今までには無かった構成した、ゲーム面から空気圧で駒体を僅かに浮遊させた状態で遊戯する家庭用ゲーム器に関する。
【背景技術】
【０００２】  従前知られているこの種の家庭用ゲーム器は、その遊戯操作部が、押しボタンにより駒体を押し出す操作方式であったり、バネの反発力で弾き出す突棒操作方式であったり、空気噴流力で吹き飛ばす方式（特許文献１参照）であったりする形式のものであった。【０００３】  そもそも、この種形式の家庭用ゲーム器は、表示内容を変えたり、模様を変えたり、色を変えたり、形を変えたり、大きさを変えたりする等の工夫を施して独創性および斬新性を出すようにされてはいるが、マンネリ化が早く、短期間に日々の変化や要望に応えられない状態になり易い類のものである。【０００４】  とは言え、顕著な独創性・斬新性を充分に表現する類のもの、マンネリ化を払拭する類のものに対する要望が多く且つ強いのが現状である。【０００５】  また、前記の各操作方式は、遊戯中、握力アップ等の運動効果を所謂無意識状態で得られるような構成にされていない。【０００６】  そこで、本発明者は、打撃レバーを操作する遊戯操作部を特に今までには無かった構成にすることにより前記要望に応えるべく研究開発を続けているうちに、偶然、二輪車のライダー気分あるいはレーサー気分で遊戯（競技）できるようにすることが有効であることに気付き、本発明に至ったものである。【０００７】
【特許文献１】特開平６−３１９８４５号公報
【０００８】  なお、本願出願人は、二輪車のライダー気分あるいはレーサー気分で遊戯（競技）できるようにした室内家庭用ゲーム器について先行技術を調査したが、関連する先行技術文献を見出すことができなかった。
【発明の開示】
【発明が解決しようとする課題】
【０００９】  本発明は、上記現状に鑑み、充分に顕著な独創性および斬新性を表出してマンネリ化を払拭する工夫及び遊戯を行うことで握力アップ等の運動効果を得られる工夫等を施した新規の家庭用ゲーム器を提供することを目的とする。
【課題を解決するための手段】
【００１０】  上記目的を達成するために、請求項１に係る家庭用ゲーム器にあっては、台盤の上面にゲーム面を有する家庭用ゲーム器に関し、台盤の横面に張り出した状態にして設けられたグリップ部と、当該グリップ部に握り絞り操作しうる状態にして設けられた握り操作レバーと、当該握り操作レバーへの握り絞り操作により前記ゲーム面上で駒体の打つ動作をなしうるようにされた駒撃ちレバーとを備えたことを特徴とする。【００１１】  請求項２に係る家庭用ゲーム器にあっては、請求項１記載の家庭用ゲーム器に関し、前記グリップ部、握り操作レバー及び駒撃ちレバーが、左右対配置にして設けられたことを特徴とする。【００１２】  請求項３に係る家庭用ゲーム器にあっては、請求項２記載の家庭用ゲーム器に関し、前記左右対配置のグリップ部、握り操作レバー及び駒撃ちレバーが対面配置にして設けられたことを特徴とする。【００１３】  請求項４に係る家庭用ゲーム器にあっては、請求項３記載の家庭用ゲーム器に関し、前記駒撃ちレバーの後方に前記ゲーム面の縁に連続する状態でゴール部が設けられたことを特徴とする。【００１４】  請求項５に係る家庭用ゲーム器にあっては、請求項１〜４のいずれか一つの請求項記載の家庭用ゲーム器に関し、ゲーム面は、駒体を浮遊させる多数個の空気吹出孔が一面に設けられたことを特徴とする。【００１５】  請求項６に係る家庭用ゲーム器にあっては、請求項１〜５のいずれか一つの請求項記載の家庭用ゲーム器に関し、前記駒体がサッカーボール等球技用ボールを模した薄い扁平形状体であることを特徴とする。【００１６】  請求項７に係る家庭用ゲーム器にあっては、請求項１〜６のいずれか一つの請求項記載の家庭用ゲーム器に関し、前記台盤が、所定の個数だけ視認可能状態で収納しうる格納部を備えたことを特徴とする。【００１７】  請求項８に係る家庭用ゲーム器にあっては、請求項１〜６のいずれか一つの請求項記載の家庭用ゲーム器に関し、前記台盤が、前記ゴールに入れられた駒体の個数を表示する表示部を備えたことを特徴とする。【００１８】  すなわち、本発明に係るゲーム盤は、遊戯者が二輪車のハンドルを持つ要領で両側のグリップを両手で握り持って遊戯の体勢を整え、この体勢において握り操作レバーを握り絞ったり緩めたりすることで駒撃ちレバーを動かす操作を適宜行い、これによってゲーム面上にある駒体を相手のゴールに入れたり、相手から打ち出された駒体を打ち返したりする攻守を行い、相手のゴールに入れた駒体の個数を競って勝敗を決めるようにされたものである。なお、ゲーム面上の駒体はゲーム面に多数個設けられた空気孔から吹き出る空気圧を下から受けて動き易くされ、スピードがでるようにされている。またゴール数は表示窓に表示され、また駒体の予備は格納部に入れた状態で準備される。通常、ゲーム盤の上には駒体を一個ずつ投入載置され、そしてゴールの度に前記格納部から駒体が補給される。また、ゲームの完了は、互いの取り決めにより任意に決定してもよいが、格納部が空になった後の駒体がゴールされた時点としたり、一定の時間内としたりすることができる。
【発明の効果】
【００１９】  請求項１に係る家庭用ゲーム器は、台盤の上面にゲーム面を有する家庭用ゲーム器に関し、台盤の横面に張り出した状態にして設けられたグリップ部と、当該グリップ部に握り絞り操作しうる状態にして設けられた握り操作レバーと、当該握り操作レバーへの握り絞り操作により前記ゲーム面上で駒体の打つ動作をなしうるようにされた駒撃ちレバーとを備えているので、前記遊戯体勢の確保を可能にすることができる。したがって、二輪車のライダー気分あるいはレーサー気分で遊戯（競技）しうるようにするという目的が達成できる。また、駒体を打つ動作の度に握り絞り運動が無意識のうちに楽しみながら自然に繰り返されることになるので、現代人が特に弱化して来ている握力アップ等の運動効果を得ることができる。したがって、運動不足気味の人や年配者等には向いていて簡単な運動器具としても好適である。【００２０】  さらに、前記駒体を打つ動作によれば、当該駒体の打ち出す方向及び打ち返される方向は、一定しないすなわち予測が難しい方向になるので、不安定に動く駒体をシュートしてゴールした時の喜びを実感できる。この結果、サッカー等スポーツ特有の興趣を、家庭内で手軽に、盤面上にて実現できる。【００２１】  請求項２に係る家庭用ゲーム器は、前記グリップ部、握り操作レバー及び駒撃ちレバーが、左右対配置にして設けられたので、左右両手で操作する２輪車のハンドル操作に似た遊戯ができる。【００２２】  請求項３に係る家庭用ゲーム器は、前記左右対配置のグリップ部、握り操作レバー及び駒撃ちレバーが対面配置にして設けられたので、遊戯者が対面して対戦ゲームを楽しむことができる。【００２３】  請求項４に係る家庭用ゲーム器は、前記駒撃ちレバーの後方に前記ゲーム面の縁に連続する状態でゴール部が設けられたので、ゴール数を競う勝敗競技を楽しむことができる。【００２４】  請求項５に係る家庭用ゲーム器は、ゲーム面は、駒体を浮遊させる多数個の空気吹出孔が一面に設けられたので、高いスピードの駒体の動きを得ることができ、競技の興趣を高めることができる。すなわち、ススピード感のある遊戯を楽しむことができる。【００２５】  請求項６に係る家庭用ゲーム器は、前記駒体が、サッカーボール等球技用ボールを模した薄い扁平形状体であるので、空気圧を有効に活用でき、送気発生装置の小型化、低コスト化ができる。【００２６】  請求項７に係る家庭用ゲーム器は、請求項１〜６のいずれか一つの請求項記載の家庭用ゲーム器に関し、前記台盤が、所定の個数だけ視認可能状態で収納しうる格納部を備えているので、競技者は駒体の残数を確認しながら作戦を遂行でき、競技興趣をより高めることができる。また、前記したようにゲームアップの取り決めにも利用できる。【００２７】  請求項８に係る家庭用ゲーム器は、前記台盤が、前記ゴールに入れられた駒体の個数を表示する表示部を備えたので、競技者は得点を確認しながら作戦を遂行でき、競技の興趣をより高めることができる。また、前記したようにゲームアップの取り決めにも利用できる。
【発明を実施するための最良の形態】
【００２８】  本発明の実施の形態に係る家庭用ゲーム器は、図に示すようにサッカー家庭用ゲーム器１である。なお、図１は使用状態で示す全体の平面図であり、図２は同じく内部を省略した一部切截拡大正面図であり、図３は遊戯操作部を太い実線で表現し、その他を細い仮想線で表現した平面図であり、図４は遊戯操作部を示す拡大平面図であり、図５は同じく拡大側面図である。【００２９】  前記サッカー家庭用ゲーム器１は、中空で扁平な形のプラスチック製台盤２の上面に外周立壁３で囲繞された略６角形を呈するゲーム面４を備えたものである。このゲーム面４には、タッチライン（外周立壁３が兼ねるので図示せず）、ゴールライン、ハーフウェイライン、センターサークル及び緑色の芝生面などからなるサッカー競技場に模した図柄が描かれている。そして、このゲーム面４は、薄い円盤状の駒体５がゴールされる度に一つずつ投入載置される状態で遊戯に使用される。前記駒体５の表面には、サッカーボール特有のパッチパターンや、有名戦のシンボルマーク（図示せず）等が印刷されている。【００３０】  また、図中符号７、８はゴール部である。このゴール部７、８は、前記ゲーム面４の長軸中心線線の両端個所に設けられ、前記駒体５を受入できるようになっている。即ち、当該ゴール部７，８は、ゲーム面４に向けて長方形の開口９を備えた多数本の縦横桟からなるネット状の筺状体１０により囲繞された構成にしてある。さらに前記筺状体１０は、前記開口９の両下側が軸承部１１により軸承されている。したがって、筺状体１０が前記軸承部１１を中心に上方に廻されたときにはその外側面の下が開くことになる。このように開いた場合にはゴール部７、８に入った駒体５が自然に外に排出されうるようにしてある。すなわち、ゴール部７、８の底面１２は外に向かって下傾したスロープにされている。この底面１２には通過を検出するセンサーを設けてあるが、ここでは省略した。【００３１】  また、前記台盤２は、前記各ゴール部７，８を間にして存するコーナー個所の横面に左側ゲーム者１３用の左右側グリップ部１４、１５及び右側ゲーム者１６用の左右側グリップ部１７、１８が張り出した状態にして一体に設けられている。すなわち、左右のゲーム者１３、１６は両手を使用して競技しうるようにしてある（図１参照）。【００３２】  前記各グリップ部１４、１５，１７，１８は、握り操作レバー１４ａ、１５ａ、１７ａ、１８ａが装備されている。これら各握り操作レバー１４ａ、１５ａ、１７ａ、１８ａは、その内端が第１支軸１９により支持され、リターン用弾機（図示せず）の作用力により握り絞る前の状態に戻るようにされている。また、各握り操作レバー１４ａ、１５ａ、１７ａ、１８ａの内端には第１延長部２０が設けられている。なお、前記リターン用弾機は、前記運動に適する強さにしてあることが好ましい。【００３３】  一方、前記ゲーム面４における前記各ゴール部７，８の前個所の両側には、前記各握り操作レバー１４ａ、１５ａ、１７ａ、１８ａへの握り絞り操作により駒体５を打つ駒撃ちレバー１４ｂ、１５ｂ、１７ｂ、１８ｂが装備されている。これら各駒撃ちレバー１４ｂ、１５ｂ、１７ｂ、１８ｂは、第２支軸２１により支持されている。また、各駒撃ちレバー１４ｂ、１５ｂ、１７ｂ、１８ｂの内端には前記第２支軸２１を介して第２延長部２２が設けられている。【００３４】  さらに、前記第１延長部２０の外端部と前記第２延長部２２の外端部は、リンク１４ｃ、１５ｃ、１７ｃ、１８ｃにより連動しうるようにされている。これら各リンク１４ｃ、１５ｃ、１７ｃ、１８ｃは、その中間点が第３支軸２３により支持され、また両先端部が長孔２４、２５と当該長孔２４、２５に嵌合して移動するピン軸２６、２７とにより連結されている。【００３５】  すなわち、握り操作レバー１４ａは、握り絞られた時にはリンク１４ｃを介して駒撃ちレバー１４ａの先端を相手の遊戯者の方向に動かして、その直前に駒体５が移動して来た場合若しくは存在する場合にはこれを打撃するようになっている。他の握り操作レバー１５ａ、１７ａ、１８ａも同様にして駒体５を打ち返しうるようになっている。【００３６】  また、図中符号２８・・・は、ゲーム面４の全面に設けられた、駒体５を浮遊させるための多数個の空気吹出孔である。これら空気吹出孔２８・・・から空気を吹出す吹出手段は、従前知られている構造を採用してあるのでここではその詳細説明は省略する。【００３７】  また、図中符号２９、３０は、所定の個数だけ視認可能状態で収納しうるようにされた駒体５の格納部であり、３１、３２は前記ゴール部に入れられた駒体５の個数を表示する電気的構成の表示部である。なお、この表示部は、適宜個所に設けられたセンサー（図示せず）を介して信号を得て電気的に作動するようにしてある。この表示部も従来形式であるのでここではその詳細説明は省略する。また、前記センサーを介して若しくは他の適宜個所にセンサーを設けることで動作に適合した音を出すようにし、これにより雰囲気高揚効果を醸成しうるようにすることができる。さらに、前記雰囲気高揚効果を出すために台盤２の適宜個所に旗やその他飾付等を施すことができる。【００３８】  以上、本発明の実施の形態としてサッカー家庭用ゲーム器１について説明したが、アイスホッケー家庭用ゲーム器、野球家庭用ゲーム器、スカッシュ家庭用ゲーム器、スマートボール家庭用ゲーム器等の家庭用ゲーム器として実施することができる。この場合、前記打撃レバーを操作する遊戯操作部は、１個所あるいは２箇所以上として実施することができる。また、空気噴出孔を設けない構成にしてもよい。【００３９】  本発明は、前記実施の形態のみに限定されるものでなく、特許請求の範囲に記載された発明の精神を逸脱しない範囲において、前記以外の形態で実施が可能であって、そして本発明はこれ等実施の形態にも及ぶものである。
【図面の簡単な説明】
【００４０】
【図１】本発明の実施の形態を使用状態で示す全体の平面図である。
【図２】同じく内部を省略した一部切截拡大正面図である。
【図３】遊戯操作部を太い実線で表現し、その他を細い仮想線で表現した平面図である。
【図４】遊戯操作部を示す拡大平面図である。
【図５】同じく拡大側面図である。
【符号の説明】
【００４１】  １  本発明の実施の形態に係るサッカー家庭用ゲーム器
２  台盤
３  外周立壁
４  ゲーム面
５  駒体
７、８  ゴール部
９  開口
１０  筺状体
１１  軸承部
１２  底面
１３  左側ゲーム者
１４、１５  左右側グリップ部
１６  右側ゲーム者
１７、１８  左右側グリップ部
１４ａ、１５ａ、１７ａ、１８ａ  握り操作レバー
１４ｂ、１５ｂ、１７ｂ、１８ｂ  駒撃ちレバー
１４ｃ、１５ｃ、１７ｃ、１８ｃ  リンク
１９  第１支軸
２０  第１延長部
２１  第２支軸
２２  第２延長部
２３  第３支軸
２４  長孔
２５  長孔
２６  ピン軸
２７  ピン軸
２８  空気吹出孔
２９、３０  格納部
３１、３２  表示部
【図１】
2006158932.tif 000003
【図２】
2006158932.tif 000004
【図３】
2006158932.tif 000005
【図４】
2006158932.tif 000006
【図５】
2006158932.tif 000007